(57)【要約】【課題】光ネットワークの光信号対雑音比の劣化を緩和することができる方法及びシステムの提供を図る。【解決手段】光ネットワークを介して光チャネルを伝送する、Ｎ個のネットワークノードを有する光信号伝送路を特定し、光信号対雑音比(ＯＳＮＲ)の低下が光信号伝送路に沿った偏光依存損失(ＰＤＬ)から生じるものである、光チャネルの光信号対雑音比(ＯＳＮＲ)の低下に対応する光チャネルの光パワー(ΔＰ)の増分を判断し、光パワー(ΔＰ)の増分に基づいて、光チャネルに対するネットワークノード毎にノードパワーの増分(ΔＰNODE)を算出し、ノードパワーの増分(ΔＰNODE)により光チャネルに対するインラインパワーレベルを調整する指示を、前記Ｎ個のネットワークノードの少なくとも一部にそれぞれ送信する、のを備え、前記光チャネルが二偏波を有する。【選択図】図３
2015005973.tif 000002
【特許請求の範囲】
【請求項１】
光ネットワークの光信号対雑音比の劣化を緩和する方法であって、
光ネットワークを介して光チャネルを伝送する、Ｎ個のネットワークノードを有する光信号伝送路を特定し、
光信号対雑音比(ＯＳＮＲ)の低下が光信号伝送路に沿った偏光依存損失(ＰＤＬ)から生じるものである、光チャネルの光信号対雑音比(ＯＳＮＲ)の低下に対応する光チャネルの光パワー(ΔＰ)の増分を判断し、
光パワー(ΔＰ)の増分に基づいて、光チャネルに対するネットワークノード毎にノードパワーの増分(ΔＰnode)を算出し、
ノードパワーの増分(ΔＰnode)により光チャネルに対するインラインパワーレベルを調整する指示を、前記Ｎ個のネットワークノードの少なくとも一部にそれぞれ送信する、のを備え、
前記光チャネルが二偏波を有することを特徴とする方法。
【請求項２】
前記光チャネルの光パワー(ΔＰ)の増分を判断するのは、さらに、
Ｎの値、
Ｎ個のネットワークノードに含まれるＰＤＬ寄与要素の数、
前記ＰＤＬ寄与要素毎のＰＤＬ値、及び、
前記ＰＤＬ寄与要素毎の光信号対雑音比(ＯＳＮＲ)の低下、を含む光経路情報に基づいて光信号伝送路の光信号対雑音比(ＯＳＮＲ)の低下を算出し、
算出された光信号対雑音比(ＯＳＮＲ)の低下を前記光パワー(ΔＰ)の増分に割り当てる、のを含む、
ことを特徴とする請求項１に記載の方法。
【請求項３】
前記光チャネルの光パワー(ΔＰ)の増分を判断するのは、さらに、
前記光信号伝送路を求めるよう構成された経路計算要素から前記光パワー(ΔＰ)の増分を受信する、のを含む、
ことを特徴とする請求項１に記載の方法。
【請求項４】
前記光チャネルの光パワー(ΔＰ)の増分を判断するのは、さらに、
前記光チャネルの受信機から前記光信号伝送路の光信号対雑音比(ＯＳＮＲ)の低下を受信し、
受信した光信号対雑音比(ＯＳＮＲ)の低下を前記光パワー(ΔＰ)の増分に割り当てる、のを含む、
ことを特徴とする請求項１に記載の方法。
【請求項５】
前記ノードパワーの増分(ΔＰnode)を算出するのは、さらに、
前記インラインパワーレベルがＮ個のノードの各々で調整される場合、
Ｎ個のノードに、ΔＰn＝ΔＰ／Ｎで与えられる第１のノードパワーの増分(ΔＰn)を割り当て、
前記インラインパワーレベルが、前記Ｎ個のノードのうちのＭ個毎のノード(Ｍは１より大きくＮより小さい)でそれぞれ調整される場合、
Ｎ個のノードのうちＭ個毎のノードに、ΔＰm＝ΔＰ＊Ｍ／Ｎで与えられる第２のノードパワーの増分(ΔＰm)を割り当て、
前記インラインパワーレベルが前記Ｎ個のノードから選択されるＫ個のノード(Ｋは１以上でＮより小さい)で調整される場合、
Ｋ個のノードに、ΔＰk＝ΔＰ／Ｋで与えられる第３のノードパワーの増分(ΔＰk)を割り当てる、のを含む、
ことを特徴とする請求項１に記載の方法。
【請求項６】
第１のネットワークノードは、波長選択スイッチ及び光増幅器を含み、
前記第１のネットワークノードの前記ノードパワーの増分(ΔＰnode)を算出するのは、
前記波長選択スイッチのノード減衰(ΔＰWSS)を推定し、
前記光増幅器のノード増幅ゲイン(ΔＰAMP)を推定し、
以下の式に従い前記第１のネットワークノードのノードパワーの増分を算出する、のを含む、
ΔＰnode＝ΔＰWSS＋ΔＰAMP
ことを特徴とする請求項１に記載の方法。
【請求項７】
前記光チャネルの全出力調整は、光パワーの増分(ΔＰ)と、
波長依存のゲインに対する第１のパワー調整と、
波長依存の損失に対する第２パワー調整のうちの少なくとも１つと、を含む、
ことを特徴とする請求項１に記載の方法。
【請求項８】
光ネットワークの光信号対雑音比の劣化を緩和するシステムであって、
プロセッサ実行可能な命令を記憶する、非一時的なコンピュータ読み取り可能な記憶媒体にアクセスするよう構成され、前記命令はプロセッサにより実行されると、プロセッサに、
光ネットワークを介して光チャネルを伝送する、Ｎ個のネットワークノードを有する光信号伝送路を特定する手順と、
光信号対雑音比(ＯＳＮＲ)の低下が光信号伝送路に沿った偏光依存損失(ＰＤＬ)から生じるものである、光チャネルの光信号対雑音比(ＯＳＮＲ)の低下に対応する光チャネルの光パワー(ΔＰ)の増分を判断する手順と、
光パワー(ΔＰ)の増分に基づいて、光チャネルに対するネットワークノード毎にノードパワーの増分(ΔＰnode)を算出する手順と、
ノードパワーの増分(ΔＰnode)により光チャネルに対するインラインパワーレベルを調整する指示を、前記Ｎ個のネットワークノードの少なくとも一部にそれぞれ送信する手順と、を実行させ、
前記光チャネルが二偏波を有することを特徴とするシステム。
【請求項９】
前記光チャネルの光パワー(ΔＰ)の増分を判断する手順は、さらに、
Ｎの値、
Ｎ個のネットワークノードに含まれるＰＤＬ寄与要素の数、
前記ＰＤＬ寄与要素毎のＰＤＬ値、及び、
前記ＰＤＬ寄与要素毎の光信号対雑音比(ＯＳＮＲ)の低下、を含む光経路情報に基づいて光信号伝送路の光信号対雑音比(ＯＳＮＲ)の低下を算出する手順と、
算出された光信号対雑音比(ＯＳＮＲ)の低下を前記光パワー(ΔＰ)の増分に割り当てる手順と、を含む、
ことを特徴とする請求項８に記載のシステム。
【請求項１０】
前記光チャネルの光パワー(ΔＰ)の増分を判断する手順は、さらに、
前記光信号伝送路を求めるよう構成された経路計算要素から前記光パワー(ΔＰ)の増分を受信する手順を含む、
ことを特徴とする請求項８に記載のシステム。
【請求項１１】
前記光チャネルの光パワー(ΔＰ)の増分を判断する手順は、さらに、
前記光チャネルの受信機から前記光信号伝送路の光信号対雑音比(ＯＳＮＲ)の低下を受信する手順と、
受信した光信号対雑音比(ＯＳＮＲ)の低下を前記光パワー(ΔＰ)の増分に割り当てる手順と、を含む、
ことを特徴とする請求項８に記載のシステム。
【請求項１２】
前記ノードパワーの増分(ΔＰnode)を算出する手順は、さらに、
前記インラインパワーレベルがＮ個のノードの各々で調整される場合、
Ｎ個のノードに、ΔＰn＝ΔＰ／Ｎで与えられる第１のノードパワーの増分(ΔＰn)を割り当てる手順と、
前記インラインパワーレベルが、前記Ｎ個のノードのうちのＭ個毎のノード(Ｍは１より大きくＮより小さい)でそれぞれ調整される場合、
Ｎ個のノードのうちＭ個毎のノードに、ΔＰm＝ΔＰ＊Ｍ／Ｎで与えられる第２のノードパワーの増分(ΔＰm)を割り当てる手順と、
前記インラインパワーレベルが前記Ｎ個のノードから選択されるＫ個のノード(Ｋは１以上でＮより小さい)で調整される場合、
Ｋ個のノードに、ΔＰk＝ΔＰ／Ｋで与えられる第３のノードパワーの増分(ΔＰk)を割り当てる手順と、を含む、
ことを特徴とする請求項８に記載のシステム。
【請求項１３】
第１のネットワークノードは、波長選択スイッチ及び光増幅器を含み、
前記第１のネットワークノードの前記ノードパワーの増分(ΔＰnode)を算出する手順は、
前記波長選択スイッチのノード減衰(ΔＰWSS)を推定する手順と、
前記光増幅器のノード増幅ゲイン(ΔＰAMP)を推定する手順と、
以下の式に従い前記第１のネットワークノードのノードパワーの増分を算出する手順と、を含む、
ΔＰnode＝ΔＰWSS＋ΔＰAMP
ことを特徴とする請求項８に記載のシステム。
【請求項１４】
光ネットワークの光信号対雑音比の劣化を緩和するコントロールプレーンシステムであって、
光ネットワークを介して光チャネルを伝送する、Ｎ個のネットワークノードを有する光信号伝送路を特定し、
光信号対雑音比(ＯＳＮＲ)の低下が光信号伝送路に沿った偏光依存損失(ＰＤＬ)から生じるものである、光チャネルの光信号対雑音比(ＯＳＮＲ)の低下に対応する光チャネルの光パワー(ΔＰ)の増分を判断し、
光パワー(ΔＰ)の増分に基づいて、光チャネルに対するネットワークノード毎にノードパワーの増分(ΔＰnode)を算出し、
ノードパワーの増分(ΔＰnode)により光チャネルに対するインラインパワーレベルを調整する指示を、前記Ｎ個のネットワークノードの少なくとも一部にそれぞれ送信する、のを備え、
前記光チャネルが二偏波を有するように構成されたことを特徴とするコントロールプレーンシステム。
【請求項１５】
前記光チャネルの光パワー(ΔＰ)の増分を判断するのは、さらに、
Ｎの値、
Ｎ個のネットワークノードに含まれるＰＤＬ寄与要素の数、
前記ＰＤＬ寄与要素毎のＰＤＬ値、及び、
前記ＰＤＬ寄与要素毎の光信号対雑音比(ＯＳＮＲ)の低下、を含む光経路情報に基づいて光信号伝送路の光信号対雑音比(ＯＳＮＲ)の低下を算出し、
算出された光信号対雑音比(ＯＳＮＲ)の低下を前記光パワー(ΔＰ)の増分に割り当てる、のを含む、
ことを特徴とする請求項１４に記載のコントロールプレーンシステム。
【請求項１６】
前記光チャネルの光パワー(ΔＰ)の増分を判断するのは、さらに、
前記光信号伝送路を求めるよう構成された経路計算要素から前記光パワー(ΔＰ)の増分を受信する、のを含む、
ことを特徴とする請求項１４に記載のコントロールプレーンシステム。
【請求項１７】
前記光チャネルの光パワー(ΔＰ)の増分を判断するのは、さらに、
前記光チャネルの受信機から前記光信号伝送路の光信号対雑音比(ＯＳＮＲ)の低下を受信し、
受信した光信号対雑音比(ＯＳＮＲ)の低下を前記光パワー(ΔＰ)の増分に割り当てる、のを含む、
ことを特徴とする請求項１４に記載のコントロールプレーンシステム。
【請求項１８】
前記ノードパワーの増分(ΔＰnode)を算出するのは、さらに、
前記インラインパワーレベルがＮ個のノードの各々で調整される場合、
Ｎ個のノードに、ΔＰn＝ΔＰ／Ｎで与えられる第１のノードパワーの増分(ΔＰn)を割り当て、
前記インラインパワーレベルが、前記Ｎ個のノードのうちのＭ個毎のノード(Ｍは１より大きくＮより小さい)でそれぞれ調整される場合、
Ｎ個のノードのうちＭ個毎のノードに、ΔＰm＝ΔＰ＊Ｍ／Ｎで与えられる第２のノードパワーの増分(ΔＰm)を割り当て、
前記インラインパワーレベルが前記Ｎ個のノードから選択されるＫ個のノード(Ｋは１以上でＮより小さい)で調整される場合、
Ｋ個のノードに、ΔＰk＝ΔＰ／Ｋで与えられる第３のノードパワーの増分(ΔＰk)を割り当てる、のを含む、
ことを特徴とする請求項１４に記載のコントロールプレーンシステム。
【請求項１９】
第１のネットワークノードは、波長選択スイッチ及び光増幅器を含み、
前記第１のネットワークノードの前記ノードパワーの増分(ΔＰnode)を算出するのは、
前記波長選択スイッチのノード減衰(ΔＰWSS)を推定し、
前記光増幅器のノード増幅ゲイン(ΔＰAMP)を推定し、
以下の式に従い前記第１のネットワークノードのノードパワーの増分を算出する、のを含む、
ΔＰnode＝ΔＰWSS＋ΔＰAMP
ことを特徴とする請求項１４に記載のコントロールプレーンシステム。
【請求項２０】
前記光チャネルの全出力調整は、光パワーの増分(ΔＰ)と、
波長依存のゲインに対する第１のパワー調整と、
波長依存の損失に対する第２パワー調整のうちの少なくとも１つと、を含む、
ことを特徴とする請求項１４に記載のコントロールプレーンシステム。
【発明の詳細な説明】
【技術分野】
【０００１】
本明細書に記載した実施形態は、光ネットワークの光信号対雑音比の劣化を緩和する方法及びシステムに関する。
【背景技術】
【０００２】
電気通信システム、ケーブルテレビシステム及びデータ通信ネットワークは、光ネットワークを使用して離れた位置間で素早く大量の情報を伝達する。光ネットワークにおいては、情報は、光ファイバを介して光信号の形で伝達される。光ネットワークは、増幅器、分散補償器、マルチプレクサ／デマルチプレクサフィルタ、波長選択スイッチ、カプラなどの、ネットワーク内で各種動作を実行するように構成した各種のネットワーク要素を含むこともできる。
【先行技術文献】
【特許文献】
【０００３】
【特許文献１】米国特許第８３６９７０４号明細書
【非特許文献】
【０００４】
【非特許文献１】Tao et al., "A Fast Method to Simulate the PDL Impact on Dual-Polarization Coherent Systems," IEEE Photonics Technology Letters, Vol. 21, No. 24, pp.1882-1884, December 15, 2009
【発明の概要】
【発明が解決しようとする課題】
【０００５】
しかし、これらのネットワークサブシステムの各々が、ネットワークを通過する光信号に偏波依存効果を生じさせる場合がある。これらの効果は、光信号の別々の偏波成分に偏光依存損失(ＰＤＬ)による異なる信号劣化を生じさせる場合がある。
【０００６】
例えば、ある偏波成分に他の偏波成分と比べて劣化したＯＳＮＲが受信機で現れるといった、ＰＤＬにより光信号の偏波間に光信号対雑音比(ＯＳＮＲ)のアンバランスが生じる場合がある。さらに、送信されるシンボルによっては、ＰＤＬによる偏波成分間のクロストークが強度変動をもたらし、非線形位相ノイズとして観察される場合がある。
【課題を解決するための手段】
【０００７】
本実施形態によれば、光ネットワークの光信号対雑音比の劣化を緩和する方法であって、光ネットワークを介して光チャネルを伝送する、Ｎ個のネットワークノードを有する光信号伝送路を特定し、光信号対雑音比の低下が光信号伝送路に沿った偏光依存損失から生じるものである、光チャネルの光信号対雑音比の低下に対応する光チャネルの光パワーの増分を判断し、光パワーの増分に基づいて、光チャネルに対するネットワークノード毎にノードパワーの増分を算出し、ノードパワーの増分により光チャネルに対するインラインパワーレベルを調整する指示を、前記Ｎ個のネットワークノードの少なくとも一部にそれぞれ送信する、のを備え、前記光チャネルが二偏波を有する方法が提供される。
【０００８】
一実施形態において、光ネットワークの光信号対雑音比の劣化を緩和する開示方法は、光ネットワークを介して光チャネルを伝送する光信号伝送路を特定することを含む。光信号伝送路は、Ｎ個のネットワークノードを有してもよい。
【０００９】
本方法は、光チャネルの光信号対雑音比(ＯＳＮＲ)の低下に対応する光チャネルの光パワー(ΔＰ)の増分を判断することと、光パワー(ΔＰ)の増分に基づいて、光チャネルに対するネットワークノード毎にノードパワーの増分(ΔＰnode)を算出することを含んでもよい。
【００１０】
光信号対雑音比(ＯＳＮＲ)の低下は光信号伝送路に沿った偏光依存損失(ＰＤＬ)から生じるものでもよい。本方法は、ノードパワーの増分(ΔＰnode)により光チャネルに対するインラインパワーレベルを調整する指示を、前記Ｎ個のネットワークノードの少なくとも一部にそれぞれ送信することを含んでも良い。前記光チャネルが二偏波を有してもよい。
【００１１】
光ネットワークの光信号対雑音比の劣化を緩和するための他の開示態様は、プロセッサと、プロセッサ実行可能な命令を記憶する、非一時的なコンピュータ読み取り可能な記憶媒体を備えたシステム、及び、コントロールプレーンシステムを含む。
【発明の効果】
【００１２】
開示の方法及びシステムは、光ネットワークの光信号対雑音比の劣化を緩和することができるという効果を奏する。
【図面の簡単な説明】
【００１３】
【図１】図１は、光ネットワークの一実施形態の選択された要素のブロック図である。
【図２Ａ】図２Ａは、光信号対雑音比(ＯＳＮＲ)の減少対ネットワークノードを示すプロット図である。
【図２Ｂ】図２Ｂは、光パワー(ΔＰ)の増加対ネットワークノードを示すプロット図である。
【図３】図３は、偏光依存損失(ＰＤＬ)から生じるＯＳＮＲ劣化を低減するチャネルパワー調整方法の選択された要素のフローチャートである。
【図４Ａ】図４Ａは、偏光依存損失(ＰＤＬ)から生じるＯＳＮＲ劣化を低減するチャネルパワー調整方法の選択された要素のフローチャート(その１)である。
【図４Ｂ】図４Ｂは、偏光依存損失(ＰＤＬ)から生じるＯＳＮＲ劣化を低減するチャネルパワー調整方法の選択された要素のフローチャート(その２)である。
【図４Ｃ】図４Ｃは、偏光依存損失(ＰＤＬ)から生じるＯＳＮＲ劣化を低減するチャネルパワー調整方法の選択された要素のフローチャート(その３)である。
【図５】図５は、光信号伝送路の光経路情報を求めるシステムの一実施形態の選択された要素のブロック図である。
【発明を実施するための形態】
【００１４】
以下、光ネットワークの光信号対雑音比の劣化を緩和する方法及びシステムの実施例を、添付図面を参照して詳述する。以下の説明では、開示される主題に関する議論を容易にするため、例として詳細を記載する。開示される実施形態は例示的であり、起こりうるすべての実施形態を網羅するものではないことは、当業者にとって明らかである。
【００１５】
本開示全体にわたって、ハイフン付きの参照番号は要素の具体例を示し、ハイフンの付いてない参照番号は、要素を概略的に又は集合的に示す。従って、例えば装置１２−１は装置クラスの例を示し、装置クラスは集合的に装置１２と称することができ、その内の１つを概略的に装置１２と称することができる。
【００１６】
図面を参照すると、図１は、光伝送ネットワーク１０１についての例示的実施形態を示す。光伝送ネットワーク１０１は、光ネットワーク１０１の各構成要素によって通信される１つ又は複数の光信号を転送するように構成された１本又は複数本の光ファイバ１０６を含むことができる。
【００１７】
光ネットワーク１０１のネットワーク要素はファイバ１０６で接続され、１つ又は複数の送信機１０２と、１つ又は複数のマルチプレクサ(ＭＵＸ)１０４と、１つ又は複数の増幅器１０８と、１つ又は複数の光分岐挿入装置(ＯＡＤＭ)１１０と、１つ又は複数の受信機１１２を備えることができる。
【００１８】
光ネットワーク１０１は、端末ノードを有するポイント・ツー・ポイント光ネットワーク、リング光ネットワーク、メッシュ光ネットワーク、又は、他の適切な光ネットワーク、又は、光ネットワークの組合せを有する。光ファイバ１０６は、信号を長距離にわたり非常に低い損失で通信可能な細いガラス繊維を有する。光ファイバ１０６は、適宜の種類のファイバを有することができる。
【００１９】
光ネットワーク１０１は、ファイバ１０６を介して光信号を送信するよう構成された装置を含むことができる。波長上に情報をコード化する1波長又は複数波長の光の変調によって、情報をネットワーク１０１を介して送受信できる。光ネットワークにおいて、光の波長をチャネルと呼ぶ場合もある。各チャネルは、光ネットワーク１０１を介して所定量の情報を伝送するよう構成することができる。
【００２０】
光ネットワーク１０１の情報伝送能力を向上させるために、複数チャネルで送信される複数の信号を、単一の光信号に結合することができる。単一の光信号の複数チャネルの情報を通信する方法は、光学分野では、波長分割多重(ＷＤＭ)と呼ばれる。
【００２１】
高密度波長分割多重(ＤＷＤＭ)とは、ファイバへのより多数の(より高密度の)波長、通常４０個より多くの波長、の多重化をいう。光ファイバ当たりの帯域幅総和を増加するために、ＷＤＭ、ＤＷＤＭ又は他の複数波長伝送技術が光ネットワークで使用される。ＷＤＭ又はＤＷＤＭがないと、光ネットワークの帯域幅は、単に１波長だけのビットレートに限られる。
【００２２】
より多くの帯域幅によって、光ネットワークはより大量の情報を伝送可能である。光ネットワーク１０１は、ＷＤＭ、ＤＷＤＭ又は何らかの他の適切なマルチチャネル多重化技術を使用して異種のチャネルを送信し、マルチチャネル信号を増幅するように構成することができる。
【００２３】
光ネットワーク１０１は、光信号を光ネットワーク１０１を介して特定の波長又はチャネルで送信するように構成された１つ又は複数の光送信機(Ｔｘ)１０２を有することができる。送信機１０２は、電気信号を光信号に変換して、光信号を送信するよう構成されたシステム、装置又は装置を有することができる。
【００２４】
例えば、送信機１０２はそれぞれ、レーザー及び変調器を有することができ、レーザー及び変調器は、電気信号を受信し、電気信号に含まれる情報を、レーザーにより発生された特有の波長の光ビーム上へ変調し、ネットワークを通じて信号を伝送する当該ビームを送信するよう構成される。
【００２５】
マルチプレクサ１０４は、送信機１０２と接続でき、送信機１０２により個々の波長で送信された信号を、単一のＷＤＭ又はＤＷＤＭ信号に結合するように構成されたシステム、装置又は機器でもあってもよい。
【００２６】
増幅器１０８は、ネットワーク１０１内で複数チャネル化された信号を増幅することができる。増幅器１０８は、所定長のファイバ１０６の前及び／又は後に配置することができる。増幅器１０８は、信号を増幅するように構成されたシステム、装置又は機器を有することができる。
【００２７】
例えば、増幅器１０８は、光信号を増幅する光中継器を有することができる。この増幅は、光電変換又は電気光学変換により行われることができる。ある実施形態では、増幅器１０８は、希土類元素がドープされた光ファイバを有することができる。信号がファイバを通過するときに、外部のエネルギーが光ファイバのドープされた部分の原子を励起するのに印加されて、光信号の強度を増加させうる。一例として、増幅器１０８は、エルビウムドープファイバ増幅器(ＥＤＦＡ)を有することができる。
【００２８】
ＯＡＤＭ１１０は、ファイバ１０６を介してもネットワーク１０１と接続できる。ＯＡＤＭ１１０は混合(add)／分離(drop)モジュールを有し、混合／分離モジュールは、ファイバ１０６から光信号を混合し及び／又は分離するよう構成されたシステム、装置又は機器を含むことができる。
【００２９】
ＯＡＤＭ１１０を通過した後に、信号は直接送信先へ向かってファイバ１０６に沿って進むことができ、又は、信号は、送信先に到達する前に、１つ又は複数の他のＯＡＤＭ１１０を通過することができる。
【００３０】
ネットワーク１０１は、ネットワーク１０１の１つ又は複数の送信先に、１つ又は複数のデマルチプレクサ１０５を含むこともできる。デマルチプレクサ１０５は、単一のＷＤＭ信号をその個々のチャネルに分割することでデマルチプレクサとして作用できるシステム、装置又は機器を有することができる。
【００３１】
例えば、ネットワーク１０１は、４０チャネルのＤＷＤＭ信号を送信し、伝送できる。デマルチプレクサ１０５は、信号、例えば４０チャネルＤＷＤＭ信号を、４０の異なるチャネルに応じた４０個の別々の信号へ分けることができる。
【００３２】
ネットワーク１０１の所定の実施形態においては、ＯＡＤＭ１１０は、再構成可能なＯＡＤＭ(ＲＯＡＤＭ)を表し、例えば、波長選択スイッチ(ＷＳＳ)を用いて、光領域で混合又は分離されるデータチャネルを伝送するＷＤＭ信号の個々の又は複数の波長を混合し又は分離することができる。
【００３３】
ネットワーク１０１は、デマルチプレクサ１０５に接続された受信機１１２を含むこともできる。各受信機１１２は、波長又はチャネルで送信された信号を受信して、それらが含む情報に対する信号を処理するように構成されることができる。よって、ネットワーク１０１は、ネットワークの全チャネル用の少なくとも一つの受信機１１２を含むことができる。
【００３４】
ネットワーク１０１などの光ネットワークは、光ファイバを介して光信号で情報を伝達する変調方式を更に使用することができる。このような変調方式は、位相偏移変調(「ＰＳＫ」)、周波数偏移符合化(「ＦＳＫ」)、振幅偏移変調(「ＡＳＫ」)及び直交振幅変調(「ＱＡＭ」)を含むことができる。
【００３５】
ＰＳＫにおいては、光信号で伝送される情報は、搬送波又は単にキャリアとしても知られる、基準信号の位相を変調することで伝達できる。情報は、差動位相変移変調(「ＤＰＳＫ」)を使用して、信号自体の位相を変調することで伝達できる。
【００３６】
ＱＡＭにおいては、光信号で伝送される情報は、搬送波の振幅及び位相の双方を変調することで伝達できる。ＰＳＫはＱＡＭのサブセットと考えることができ、そこでは搬送波の振幅は一定に維持される。
【００３７】
ネットワーク１０１などの光通信ネットワークにおいて、マネージメントプレーン、コントロールプレーン及びトランスポートプレーン(物理層と呼ばれる場合もある)と称することがよくある。中央管理ホスト(図示せず)は、マネージメントプレーンに存在でき、コントロールプレーンの構成要素を構成し、監督することができる。
【００３８】
マネージメントプレーンは、すべてのトランスポートプレーン及びコントロールプレーンのエンティティ(例えば、ネットワーク要素)の最終的な制御を含む。一例として、マネージメントプレーンは、１つ又は複数の処理リソース、データ格納部などを含む中央処理センター(例えば、中央管理ホスト)から成ることができる。
【００３９】
マネージメントプレーンは、コントロールプレーンの要素と電気通信してもよく、トランスポートプレーンの１つ又は複数のネットワーク要素と電気通信してもよい。マネージメントプレーンは、全体システムに対する管理機能を実行でき、ネットワーク要素、コントロールプレーン及びトランスポートプレーン間の調整をすることができる。
【００４０】
例として、マネージメントプレーンは、要素の観点から１つ又は複数のネットワーク要素を扱う要素管理システム(ＥＭＳ)、ネットワークの観点から多数の装置を扱うネットワーク管理システム(ＮＭＳ)、及び／又は、ネットワーク規模の操作を扱う操作支援システム(ＯＳＳ)を含むことができる。
【００４１】
開示の要旨を逸脱しない範囲で、ネットワーク１０１に対して変更、追加又は省略をしてもよい。例えば、ネットワーク１０１は、図示されたものより多いか又は少ない要素を含んでもよい。
【００４２】
さらに、ネットワーク１０１は、明示的には示されてない、分散補償モジュールなどの追加要素を含んでもよい。また、上述のように、ポイント・ツー・ポイントネットワークとして図示したが、ネットワーク１０１は、リング又はメッシュネットワークなどの光信号を送信する適宜のネットワークを有してもよい。
【００４３】
上述のように、光ネットワークを通じて送信できる情報量は、情報がコード化され１つの信号に多重化された光チャネルの数により変わる。よって、ＷＤＭを用いた光信号は、単に１本のチャネルだけで情報を伝送する光信号よりも多くの情報を伝送できる。
【００４４】
ＤＷＤＭを用いた光信号は、より多くの情報を伝送できる。伝送するチャネル数以外に、光ネットワークを通じて送信できる情報量について影響を与える他の要因は、送信ビットレートであろう。ビットレートが大きいほどより多くの情報を送信できる。
【００４５】
偏波分割多重(ＰＤＭ)技術は、情報送信のより大きなビットレートを実現できる。ＰＤＭ伝送は、チャネルに対応する光信号の各種偏波成分に情報を変調することを含む。光信号の偏波は、光信号の振動方向に関係しうる。
【００４６】
「偏波」との用語は、概して、空間のある位置で電界ベクトルの先端がたどられる軌跡に関連し、光信号の伝播方向に対して垂直でありうる。「線形偏波」との用語は、概して、電界ベクトルの配向の単一方向に関連しうる。概して、線形偏波された任意の波は、Ｘ及びＹで示す２つの独立した直交成分に分解でき、それらは互いに同相か異相である。
【００４７】
例えば、偏波多重送信においては、レーザーで作成される光ビームは、線形に大きく偏光できる。ビームは、ビームのＸ偏波成分及びビームのＹ偏波成分に従って偏光ビームスプリッタによって分割されることができる。分岐すると、Ｘ偏波成分を水平軸に合わせ、Ｙ偏波成分はビームの垂直軸に合わせることができる。
【００４８】
なお、「水平」偏波及び「垂直」偏波との用語(また、Ｘ偏波及びＹ偏波とも呼ばれる)は、単に説明の目的のため座標系を示すために用いているだけであり、特有の偏波方向に関するものではないことが理解される。
【００４９】
ビームをＸ及びＹ偏波成分に分岐した後、情報を両ビーム上へ変調することができる。変調の後に、両ビームは偏光ビームコンバイナによって結合でき、結合されたビームは各偏波成分上に変調された情報を有する、２つの偏波成分(例えば、Ｘ偏波成分及びＹ偏波成分)の光信号を含む。
【００５０】
よって、信号のＸ偏波成分及びＹ偏波成分の両方へ情報を変調することで、信号に対応するチャネルによって所与の時間に伝送できる情報量を増加できる(すなわち、チャネルのビットレートを増加することができる)。
【００５１】
本開示において、信号がネットワークを通って進むにつれて、信号の偏波が座標系に対して回転しうることは理解される。その結果として、変調されたＸ及びＹ偏波成分も回転し、各成分はもはや座標系の水平軸及び垂直軸とは合わない。
【００５２】
しかし、信号の「Ｘ偏波」及び「Ｙ偏波」との用語は、たとえ変調されたＸ及びＹ偏波成分はもはや座標系の水平及び垂直軸に向いていないとしても、依然として、変調された情報を有する偏波成分を意味するため用いることができる。
【００５３】
ネットワーク１０１の動作において、光信号はＸ及びＹ軸の直交偏波成分で二偏波化されてもよい。ネットワーク１０１の種々の実施形態において、ネットワーク１０１の要素の所定成分に偏光依存損失(ＰＤＬ)が現れることがあり、送信された光信号の光信号対雑音比(ＯＳＮＲ)の劣化をもたらすとともに、２つの直交偏波成分の間のＰＤＬ誘発のクロストークから生じる非線形位相ノイズをもたらす。
【００５４】
ＰＤＬに寄与しうるネットワーク１０１の各構成要素(本明細書において、それぞれ「ＰＤＬ寄与部」と称する)は、マルチプレクサ１０４、増幅器１０８、ＯＡＤＭ１１０、及び、他の構成要素(図示せず)を含み、他の構成要素としては分散補償器、波長選択スイッチ、カプラ等を含む(国際電気通信連合ＩＴＵ−Ｔ  Ｇ．６８０を参照)。
【００５５】
偏光依存損失は、光信号を送信するのに用いられる異なる種類の変調方式毎に観測できる。さらに、偏光依存損失の他に、ネットワーク１０１の増幅器には、ＯＳＮＲ劣化にも寄与しうる増幅自然放出(ＡＳＥ)ノイズが現れることがある。
【００５６】
よって、ネットワーク１０１内のノイズについて単純化されたモデルは、ノイズに対するＡＳＥ及びＰＤＬ寄与の双方を有するＮ個のネットワークノードを規定することを含むことができる。
【００５７】
Ｎ個のノードは、二偏波信号を送信する光信号伝送路での連続した要素を示すことができる。第１のノードの第１のＰＤＬ要素は、第ＮのＰＤＬ要素よりも、ノードＮの後に観察される全体ノイズに対して非常に大きく寄与しうることに気づいた。
【００５８】
また、光信号伝送路に沿った第Ｎの(すなわち最後の)増幅器からのＡＳＥノイズは、第１の増幅器からのＡＳＥノイズよりも、全体のノイズに寄与しうる(Ｚ．Ｔａｏ他、「二偏波コヒーレントシステムへのＰＤＬ影響を高速シミュレーションする方法」、Ｐｈｏｔｏｎｉｃｓ  Ｔｅｃｈｎｏｌｏｇｙ  Ｌｅｔｔｅｒｓ、Ｖｏｌ．２１、Ｎｏ．２４、２００９年、参照)。
【００５９】
そのために、光信号伝送路に沿ったＯＳＮＲの増加又は第Ｎの増幅器のノイズの低減は、ＰＤＬ誘発のＯＳＮＲの損失回復のために望ましいことである。各光増幅器は、対応するＡＳＥノイズに関連した特定の大きさの雑音指数(ＮＦ)を有するため、光増幅器のＡＳＥノイズを低減することは難しいであろう。従って、光信号伝送路に沿ったＯＳＮＲの増加は、望ましい選択肢である。
【００６０】
本明細書においてより詳細に記載するように、このような不利な点を克服し、二偏波光信号のＯＳＮＲを増加可能にするため、光信号伝送路に沿ったネットワーク構成要素のパワーレベルを事前に強調することで偏光依存損失を緩和する、本明細書で開示する新規な方法及びシステムが発明された。
【００６１】
具体的には、ネットワーク１０１は、各ネットワークノードの入力パワーレベルを制御して二偏波光信号が送信されるときの偏光依存損失を緩和することができる。本明細書で開示される方法及びシステムは、偏光依存損失(ＰＤＬ)を緩和する他の技術と比較すると、所定の利点に関連しうる。
【００６２】
例えば、本明細書で説明する方法及び装置は、光信号伝送路に関する情報をコントロールプレーン(ＣＰ)から得つつ、インライン増幅器及び波長選択スイッチ(ＷＳＳ)などの既存のネットワーク構成要素で実現できる。
【００６３】
図２Ａを参照すると、偏光依存損失(ＰＤＬ)による光ネットワーク内のＮ個のノードについてＯＳＮＲの低下を示すプロットが図示される。図２Ａにおいて、信号パワーレベルがノードからノードへ一定に保たれるときにＯＳＮＲの低下が観測され、ネットワークノードは、ゲインを例えばチャネルファイバー入力パワー当たり０ｄＢｍに設定しうるインライン増幅器などのパワー調節部を含むと仮定する。
【００６４】
このような光増幅器の縦続接続では、各光増幅器が同じＮＦを表すと、総ＯＳＮＲは以下の式１で与えられることに気づく。
ＯＳＮＲTOTAL(dB)＝ＰIN(dB)−ＮＦ(dB)−１０logＮ−１０logｈνΔｆ    式(１)
【００６５】
式１において、ＰINは、入力ファイバパワ−であり、ＮＦは増幅システムの雑音係数、Ｎはノードの数、ｈはプランク定数、νは光学的振動数、Δｆは光学的測定帯域幅である。式１から、総ＯＳＮＲはファイバ入力パワーＰINと比例することに気づく。光増幅器の縦続接続によるＯＳＮＲ低下の他に、ＰＤＬ寄与要素の縦続接続によるＯＳＮＲ低下に気づくことができる。
【００６６】
図２Ａにおいて、ΔＯＳＮＲにより与えられるＯＳＮＲ低下の総和に対し、ＯＳＮＲは、光信号伝送路を表す光学連鎖の要素のノードＮごとに低下しうる。このＯＳＮＲ低下(ΔＯＳＮＲ)によって、ＰＤＬの不都合で望ましくない影響が光信号に現れうる。
【００６７】
図２Ｂを参照すると、光ネットワーク内のＮ個のノードについてパワー増加を示すプロットが図示される。図２Ｂにおいて、Ｎ個のノードの全体のパワー増加はΔＰで与えられ、一方で、任意のノードのついてのパワー増加はΔＰnodeで与えられることができる。
【００６８】
本明細書で説明するように、光ネットワークのＰＤＬ誘発のＯＳＮＲ劣化を緩和する新規な方法は、ΔＯＳＮＲに等しいパワーΔＰの付加的増加を設定することを含むことができる(図２Ａを参照)。
【００６９】
一実施形態において、パワーΔＰの増加は、光ネットワークのＮ個のノード全体に分配することができる。図２Ｂに示すように、パワーΔＰの増加はＮ個のノード全体に一様に分配でき、そうすると、各ノードは、式(２)で与えられるノードパワー増分ΔＰnに等しい量でパワーを増加させる。
ΔＰnode＝ΔＰn＝ΔＰ／Ｎ    式(２)
【００７０】
所与の実施形態においては、Ｎ個のノードを介する所与の光信号伝送路に対して、ΔＰの値は比較的小さくてもよく、そうすると、全ノードＮに均一に分配されるとノードのパワー増分ΔＰnodeも比較的に小さくなり、Ｎ個のノードの１つ又は複数に存在する物理的機器で所望の確実性をもって調整することは困難であろう。
【００７１】
一実施形態(図２Ｂには示されない)において、パワー調整は、全ノードＮではなく、Ｍ個毎のノードで行われることができる。ここで、Ｍは１より大きくＮより小さい。この場合には、Ｎ個のノードのＭ個毎のノードでのパワー増分は、式３ａで与えられることができる。
ΔＰnode＝ΔＰm＝ΔＰ＊Ｍ／Ｎ    式(３ａ)
【００７２】
式３ａに相当するケースでは、例えば、残りの(Ｎ−Ｍ)個のノード毎の入力パワーは増加しないか、チャネルファイバー入力パワー当たり０ｄＢｍ又は前のノードのパワー設定のいずれかに維持してもよい。
【００７３】
他の実施態様においては、パワーΔＰの増加は、Ｎノード全体に一様でなく分配してもよい。例えば、パワーΔＰの増加はＫ個のノードに分割してもよい。ここで、Ｋは１以上でＮより小さい。種々の実施形態(図２Ｂには示されない)において、Ｋ個のノードは、Ｎ個のノードの中から任意に選択でき、又は既定の基準に従って選択できる。
【００７４】
Ｋ個のノードの各々でのパワー増分ΔＰkは、式３ｂで与えられることができる。
ΔＰnode＝ΔＰk＝ΔＰ／Ｋ    式(３ｂ)
【００７５】
式３ｂに相当するケースでは、例えば、残りの(Ｎ−Ｋ)個のノード毎の入力パワーは増加しないか、チャネルファイバー入力パワー当たり０ｄＢｍ又は前のノードのパワー設定のいずれかに維持してもよい。
【００７６】
種々の実施形態において、所定のノードは、インライン増幅器(図示せず)以外に、波長固有の減衰能力を有する波長選択スイッチ(ＷＳＳ)を含むことができる。そのような場合、任意のノードＮでの波長当たりのノードパワーの増分ΔＰnodeは、式４で与えられることができる。
ΔＰnode＝ΔＰWSS＋ΔＰAMP    式(４)
【００７７】
式４において、ΔＰWSSは波長選択スイッチ(ＷＳＳ)により提供される減衰を示し、ΔＰAMPは増幅器により提供されるゲインを示すことができる。なお、ΔＰWSSは光波長ごとに個々に調整でき、一方で、ΔＰAMPは全波長に対する総体的な値を示すことができる。
【００７８】
さらに、式４で与えられるノードのパワー調整方法は、ΔＰnodeに対して非常に小さい値、例えばある例ではΔＰAMPだけを使用して確実に調整できるものよりも小さな値に到達するのに用いることもできる。
【００７９】
所定の実施形態において、本明細書で説明するパワーΔＰの増分は、光信号伝送路の種々のインラインノードで行われるパワー調整の成分のうちの１つを表すことができる。いくつかの実施形態では、光増幅器によって現れる波長依存のゲイン(ΔＰWDG)に対してパワー調整を行ってもよい。
【００８０】
いくつかの実施形態では、ファイバ伝送の間に波長依存損失(ΔＰWDL)により生じるパワー変動の補償を行ってもよい。従って、チャネルｉ当たりの調整済みパワー合計は、式５で与えられることができる。
チャネル当たりの調整済みパワー合計＝ＰiIN＋ΔＰi＋ΔＰiWDG＋ＰiWDL    式(５)
【００８１】
式５において、ＰiINはチャネル当たり入力パワーを表し、ΔＰiは本明細書で説明するチャネル当たりのパワー調整であり、ΔＰiWDGはチャネル当たりの波長依存のゲインであり、ΔＰiWDLはチャネル当たりの波長依存的な損失である。
【００８２】
次に図３を参照すると、偏光依存損失(ＰＤＬ)から生じるＯＳＮＲ劣化を低減するチャネルパワー調整の方法３００の実施形態の選択された要素のブロック図が、フローチャート形式で示されている。
【００８３】
方法３００は、ネットワーク１０１(図１を参照)を使用して実行でき、例えば、コントロールプレーン及び／又はネットワーク１０１に含まれる光経路計算エンジンを用いて実行できる。なお、方法３００で説明する所定の動作は任意でもよく、又は、異なる実施形態では再構成されてもよい。
【００８４】
図３において、方法３００は、光ネットワークを介した光チャネルを伝送する光信号伝送路を特定する(オペレーション３０２)ことから始めることができ、ここで、光信号伝送路はＮ個のネットワークノードを備えている。
【００８５】
光チャネルについての光信号対雑音比(ＯＳＮＲ)の低下に対応する光チャネルのパワー(ΔＰ)の増分を判断してもよく(オペレーション３０４)、ここでＯＳＮＲの低下は、光信号伝送路に沿った偏光依存損失(ＰＤＬ)によるものである。
【００８６】
光チャネルについていくつかのネットワークノードの少なくとも一部でのノードパワーの増分(ΔＰnode)を、光パワー(ΔＰ)の増分に基づいて算出することができる(オペレーション３０６)。なお、ΔＰnodeに対する所定の値は、例えば、先に説明したように、チャネルファイバー入力パワー当たり０ｄＢｍか、又は、種々の実施形態における所定のノードに対する前のノードパワー設定でもよい。
【００８７】
Ｎ個のネットワークノードの少なくとも一部に指示を送信でき(オペレーション３０８)、光チャネルに対するインラインパワーレベルをノードパワーの増分(ΔＰnode)によりそれぞれ調整する。
【００８８】
次に図４Ａ、図４Ｂ、及び図４Ｃを参照すると、決定の方法オペレーション３０４−１、３０４−２及び３０４−３(図３も参照)と光パワー増加についての実施形態の選択された要素のブロック図を、フローチャート形式で示す。方法３０４−１、３０４−２及び３０４−３は、方法動作(オペレーション)３０４(図３を参照)を行うための異なる実施形態を示しうる。
【００８９】
図４Ａにおいて、方法３０４−１は、光経路情報(すなわち、ノードの数、ノード当たりのＰＤＬ寄与部の数、ＰＤＬ寄与部に対するそれぞれのＰＤＬ値、及び、ＰＤＬ寄与部毎のＯＳＮＲ低下)に基づいて、光信号伝送路でのＯＳＮＲ低下を算出する(オペレーション４０２)ことで始まることができる。
【００９０】
光経路情報は、コントロールプレーン及び／又は経路計算エンジン(図５参照)を使用して得ることができる。算出されたＯＳＮＲ低下を、光パワー(ΔＰ)の増分に割り当てることができる(オペレーション４０４)。
【００９１】
図４Ｂにおいて、方法３０４−２は、光信号伝送路を計算するよう構成された経路計算エンジンから、光パワー(ΔＰ)の増分を受信する(オペレーション４１２)ことを含むことができる(図５参照)。
【００９２】
図４Ｃにおいて、方法３０４−３は、光チャネルについて、受信機から光信号伝送路でのＯＳＮＲ低下分を受信する(オペレーション４２２)ことで始まることができる。受信したＯＳＮＲ低下分を、光パワー(ΔＰ)の増分に割り当てることができる(オペレーション４２４)。
【００９３】
図５を参照すると、本開示の所定の実施形態に従って光信号伝送路の光経路情報を得る、例示的システム５００の実施形態の選択された要素のブロック図である。システム５００は、経路計算エンジン５０２、データベース５０４、パラメータモジュール５０６、プロセッサ５０８、メモリ５１０及びインタフェースモジュール５１２を含むことができる。
【００９４】
いくつかの実施形態では、インタフェースモジュール５１２は、光ネットワークの光信号伝送路に関するデータを受信するように構成されることができる。すなわち、インタフェースモジュール５１２は、とりわけファイバ種別、ファイバ長、光信号伝送路における、分散補償モジュール、ＡＤＭ、増幅器、マルチプレクサ又はデマルチプレクサなどの構成要素の数及び／又は種別、データレート、データの変調フォーマット、光信号の入力パワー、本明細書においてチャネルと称される場合がある信号伝送波長の数、チャネル間隔、トラフィック要求、及び／又は、ネットワークトポロジなどの、光信号伝送路についてのデータを受信することができる。
【００９５】
例えば、インタフェースモジュール５１２は、システムを光信号伝送路に沿って種々のネットワーク装置(図示せず)と通信して、光信号伝送路に関するデータを受信可能にすることができる。さらに、本明細書に開示する方法に従い、インタフェースモジュール５１２は、システム５００を、光信号伝送路内のＮ個のノードに指示を送り、上述のように、適用可能な所望のノードでパワーレベルを調整可能にすることができる。
【００９６】
具体例として、いくつかの実施形態では、インタフェースモジュール５１２は、人(すなわち、ユーザ)とのインタフェースをとり、光信号伝送路についてのデータを受信するよう構成されることができる。
【００９７】
例えば、インタフェースモジュール５１２は、１つ又は複数の入力装置及び／又は出力装置を含み及び／又はそれらに接続でき、ユーザから光信号伝送路についてのデータを受信し及び／又はユーザに結果を出力するのを容易にする。
【００９８】
１つ又は複数の入力及び／又は出力装置(図示せず)は、限定するものではないが、キーボード、マウス、タッチパッド、マイクロホン、ディスプレイ、タッチスクリーンディスプレイ、音声スピーカ等を含んでもよい。あるいは、又は、さらに、インタフェースモジュール５１２は、コンピュータ(図示せず)などの装置から光信号伝送路についてのデータを受信するように構成されることができる。
【００９９】
いくつかの実施形態において、パラメータモジュール５０６は、インタフェースモジュール５１２が受信した光信号伝送路についてのデータに基づいて、光信号伝送路に関するパラメータを提供するよう構成されることができる。
【０１００】
具体例として、パラメータモジュール５０６は、ファイバ種別に対する分散マップ及びファイバ種別の他の光学特性などのファイバ種別に関するパラメータを提供することができる。別の例として、パラメータモジュール５０６は、光信号伝送路の構成要素に関するパラメータを提供することができる。
【０１０１】
例えば、パラメータモジュール５０６により提供される構成要素のパラメータは、構成要素のＰＤＬ及び構成要素の他の光学特性を含むことができる。いくつかの実施形態において、パラメータモジュール５０６は、経路計算エンジン５０２が用いることができる光信号伝送路の構成要素の光学特性の一部又はすべてを提供することができる。
【０１０２】
経路計算エンジン５０２は、パラメータモジュール５０６からのパラメータ及びインタフェースモジュール５１２からのデータを用いて、光信号伝送路の伝送特性を判断するよう構成されることができる。
【０１０３】
光信号伝送路の伝送特性は、例えば色分散(ＣＤ)、非線形(ＮＬ)効果、偏波モード分散(ＰＭＤ)及び偏光依存損失(ＰＤＬ)などの偏光効果、増幅自然放出(ＡＳＥ)及び／又はその他などの伝送劣化の要因が、光信号伝送路内で光信号にどれだけ影響を及ぼしうるかについての見識を提供できる。光信号伝送路の伝送特性を決定するために、経路計算エンジン５０２は、送信劣化要因間の相互作用を考慮することができる。
【０１０４】
種々の実施形態において、経路計算エンジン５０２は、特定の送信劣化要因についての値を生成できる。例えば、ＰＤＬ寄与部毎及び／又は光信号伝送路に沿ったＮ個のノード毎に、経路計算エンジン５０２は、ＰＤＬ値及び／又は種々の送信劣化要因についての他の値を算出することができる。
【０１０５】
いくつかの実施形態において、経路計算エンジン５０２は、光信号伝送路についての各送信劣化要因の蓄積量を提供してもよい。あるいは、又は、さらに、経路計算エンジン５０２は、各送信劣化要因によるＯＳＮＲペナルティを提供してもよい。
【０１０６】
あるいは、又は、さらに、経路計算エンジン５０２は、１つ又は複数の送信劣化要因の組合せによるＯＳＮＲペナルティを提供してもよい。あるいは、又は、さらに、経路計算エンジン５０２は、光信号伝送路の総ＯＳＮＲを提供してもよい。
【０１０７】
総ＯＳＮＲは、光信号伝送路に沿って劣化なしで実現できる最適なＯＳＮＲでもよい。あるいは、又は、さらに、例えば、ＯＳＮＲ劣化はＰＤＬによる場合に、経路計算エンジン５０２は光信号伝送路に沿ったＯＳＮＲ劣化を判断してもよい。
【０１０８】
あるいは、又は、さらに、経路計算エンジン５０２は、ＯＳＮＲ劣化に対応する光パワー(ΔＰ)の増分として、ＯＳＮＲ劣化を報告してもよい(図２Ａ及び図２Ｂ参照)。いくつかの実施形態において、経路計算エンジン５０２は、光信号伝送路に関する更なる情報を提供してもよい。
【０１０９】
データベース５０４は、経路計算エンジン５０２によって作成された、光信号伝送路についてデータを格納するように構成されることができる。プロセッサ５０８は、システム５００に本明細書で説明した機能及び動作を実行させるコンピュータ命令(手順)を実行するよう構成されることができる。
【０１１０】
コンピュータ命令は、プロセッサ５０８による実行のためメモリ５１０にロードでき、及び／又は、本明細書に記載する機能及び動作の実行の間に生成され、受信され又は演算されたるデータを、メモリ５１０に少なくとも一時的に格納してもよい。
【０１１１】
光信号伝送路内の光信号の偏光のランダムな回転状態による、光信号伝送路の伝送特性のいくつかを正確に判断するために、経路計算エンジン５０２は、光信号の偏光状態の変更を用いて多くの回数(例えば数千回)、繰り返し実行して光信号伝送路の伝送特性を判断することができる。
【０１１２】
以上、詳細に説明したように、光ネットワークの光信号対雑音比(ＯＳＮＲ)、偏光依存損失(ＰＤＬ)の劣化を緩和するための方法及び装置は、光信号伝送路を通って送信される所与のチャネルについてＯＳＮＲの減少に対応するパワー(ΔＰ)の増分を判断することを含む。
【０１１３】
光信号伝送路のネットワークノードの少なくとも一部についてパワー(ΔＰ)の増分が調整されることができる。所定のネットワークノードで、パワー(ΔＰ)の増分は、減衰及びゲインの組合せによって実現されることができる。
【０１１４】
上記の開示された主題は、説明上のものであって限定的ではなく、添付の請求の範囲は、本開示の真の精神及び範囲に入る変更、強化及び他の実施形態を包含することを意図している。従って、法律によって最大限に許容される限りにおいて、本開示の範囲は以下の請求の範囲の許容される最も広い解釈及びその均等物によって決定されるものであり、前述の詳細な説明により限定されず、制限されない。
【０１１５】
本明細書に列挙された例示及び条件付きの文言は、すべて、本発明及び発明者によって技術の促進に寄与された概念を理解する読者を支援する教育学的な目的を対象とし、具体的に列挙された例示及び条件に限定されないように解釈されるであろう。本発明の実施形態を詳細に記載したが、本発明の精神及び範囲から逸脱せずに、各種の変更、置換及び補正を行なうことができ得ることが理解されるであろう。
【符号の説明】
【０１１６】
５０２    経路計算エンジン
５０４    データベース
５０６    パラメータモジュール
５０８    プロセッサ
５１０    メモリ
５１２    インタフェースモジュール
【図１】
2015005973.tif 000003
【図２Ａ】
2015005973.tif 000004
【図２Ｂ】
2015005973.tif 000005
【図３】
2015005973.tif 000006
【図４Ａ】
2015005973.tif 000007
【図４Ｂ】
2015005973.tif 000008
【図４Ｃ】
2015005973.tif 000009
【図５】
2015005973.tif 000010